(57)【要約】【課題】畳付きの収納ボックスの部材をシステム収納装置の収納ボックスと共通化し、意匠感をシステム収納装置と同じとしてコーディネートの容易化を図る。【解決手段】畳天板付き収納ボックスＡは、左右の側板２，２と、両側板２，２間に配置された天板４及び底板６とを有するボックス本体１を備え、天板４は、左右の側板２，２に該各側板２の上端面よりも所定寸法だけ低い位置で連結され、ボックス本体１の上端部には、天板４を底面とし両側板２，２を壁面とする凹部Ｒが形成されている。ボックス本体１上部の凹部Ｒには、外周部に枠材２１を有しかつ枠材２１に畳２８が組み込まれた畳付き天板２０が枠材２１を側板２上端面で支持した状態で嵌合されている。【選択図】図２
2016202614.tif 000002
【特許請求の範囲】
【請求項１】
左右の側板と、該両側板間に配置された天板及び底板とを有するボックス本体を備え、
上記天板は、左右の側板に該側板の上端面よりも所定寸法だけ低い位置で連結されていて、ボックス本体の上端部には、天板を底面とし両側板を壁面とする凹部が形成されており、
上記ボックス本体の凹部には、外周部に枠材を有しかつ該枠材に畳が組み込まれた畳付き天板が枠材を側板上端面で支持した状態で嵌合されていることを特徴とする畳天板付き収納ボックス。
【請求項２】
請求項１において、
天板の左右端部には連結具本体が取り付けられている一方、
側板には高さ位置の異なる複数段の連結部材固定穴が形成され、
上記所定高さ位置の連結部材固定穴に、上記連結具本体に係合可能な連結部材が嵌合固定されていて、上記連結具本体と連結部材との係合により天板が側板に連結されて固定されており、
上記連結部材が嵌合される連結部材固定穴を変えることにより、天板が側板の上端面から下げられていることを特徴とする畳天板付き収納ボックス。
【請求項３】
請求項１又は２において、
畳付き天板の枠材下部には、下面の外周角部を段差状に切り欠いた切欠き段部と、該切欠き段部を除いた部分からなる嵌合部とが形成されており、
畳付き天板は、切欠き段部の横面がボックス本体の側板上端面に載置支持された状態で、嵌合部が側板間に嵌合されていることを特徴とする畳天板付き収納ボックス。
【請求項４】
請求項１〜３のいずれか１つにおいて、
畳付き天板はボックス本体に対し着脱可能であることを特徴とする畳天板付き収納ボックス。
【請求項５】
請求項１〜４のいずれか１つにおいて、
ボックス本体には引出し及び扉の少なくとも一方が取り付けられていることを特徴とする畳天板付き収納ボックス。
【請求項６】
請求項１〜５のいずれか１つにおいて、
畳付き天板の枠材の一辺、隣接する二辺、対向する二辺、又は三辺には、畳の上面と面一になるように突出する突出部が設けられていることを特徴とする畳天板付き収納ボックス。
【請求項７】
請求項６の複数の畳天板付き収納ボックスが、各々の畳付き天板における枠材の突出部を外周部に配置した状態で並べられて設置されたことを特徴とするシステム収納装置。
【請求項８】
請求項１〜６のいずれか１つの畳天板付き収納ボックスが組み込まれたことを特徴とするシステム収納装置。
【発明の詳細な説明】
【技術分野】
【０００１】
本発明は、畳天板付き収納ボックス及びそのボックスが組み込まれたシステム収納装置に関する。
【背景技術】
【０００２】
従来、例えば特許文献１〜３に示されるように、ボックス本体の上部に畳を載置した畳付き収納ボックスは一般に知られている。この畳付き収納ボックスは、例えば複数並べて設置することで、畳を持つベッドにしたり、フローリングに設置してベンチにし、洋室の一部を和室風に変えたりするための用途に適している。
【先行技術文献】
【特許文献】
【０００３】
【特許文献１】特開２００３−２２５１２７号公報
【特許文献２】特開２００４−２３００６７号公報
【特許文献３】特開２００９−２２６８２号公報
【発明の概要】
【発明が解決しようとする課題】
【０００４】
ところで、室内の空間に応じてパーツを組み合わせて収納部を作るシステム収納装置においては、上記のような畳付き収納ボックスは、通常の収納ボックスとは別のものとして扱われている。そのため、両者の間で部材の共通化ができておらず、畳付き収納ボックスをシステム収納装置に追加しようとしても、システム収納装置に対応する新たな畳付き収納ボックスを用意する必要がある。しかも、その畳付き収納ボックスとシステム収納装置との意匠感が互いに異なっているので、コーディネートも困難になるという問題があった。
【０００５】
本発明は斯かる諸点に鑑みてなされたもので、その目的は、畳付き収納ボックスの構造を改良することにより、畳付き収納ボックスの部材をシステム収納装置の収納ボックスと共通化し、意匠感をもシステム収納装置と同じとしてコーディネートの容易化を図ることにある。
【課題を解決するための手段】
【０００６】
上記の目的を達成するために、この発明では、収納ボックスの天板を通常の位置よりも高さ位置が下がったものとし、その空いたスペースに畳付き天板を嵌合して、その畳付き天板の側縁部を収納ボックスの側板上端面で支持するようにした。
【０００７】
具体的には、第１の発明に係る畳天板付き収納ボックスは、左右の側板と、これら両側板間に配置された天板及び底板とを有するボックス本体を備え、上記天板は、左右の側板に該側板の上端面よりも所定寸法だけ低い位置で連結されていて、ボックス本体の上端部には、天板を底面とし両側板を壁面とする凹部が形成されており、このボックス本体の凹部には、外周部に枠材を有しかつ該枠材に畳が組み込まれた畳付き天板が枠材を側板上端面で支持した状態で嵌合されていることを特徴とする。
【０００８】
この第１の発明では、ボックス本体の天板が左右の側板に側板の上端面よりも所定寸法だけ低い位置で連結されているので、この天板が下がった部分に凹部が形成され、この凹部に畳付き天板が嵌合され、その畳付き天板は外周部の枠材を側板の上面で支持されている。こうすることで、例えばシステム収納装置における収納ボックスをそのまま利用し、その天板の高さ位置を下げて凹部を形成し、その凹部に畳付き天板を嵌合することができる。すなわち、畳付き収納ボックスは、システム収納装置の収納ボックスの既存の天板を下げて畳付き天板を追加するだけで済み、収納ボックスと畳付き収納ボックスとの部材の大部分を共通のものとして部材の共通化を図ることができる。また、このようにシステム収納装置の収納ボックスに畳付き天板を追加するだけで畳付き収納ボックスが得られるので、その畳付き収納ボックスの意匠感がシステム収納装置と同じとなり、コーディネートが容易となる。
【０００９】
第２の発明は、第１の発明において、天板の左右端部には連結具本体が取り付けられている一方、側板には高さ位置の異なる複数段の連結部材固定穴が形成され、この所定高さ位置の連結部材固定穴に、上記連結具本体に係合可能な連結部材が嵌合固定されていて、上記連結具本体と連結部材との係合により天板が側板に連結されて固定されており、上記連結部材が嵌合される連結部材固定穴を変えることにより、天板が側板の上端面から下げられていることを特徴とする。
【００１０】
この第２の発明では、既存の天板は側板に対し連結具本体と連結部材との係合によって固定されているので、側板において、連結部材が嵌合されて固定される連結部材固定穴の位置を変えることで、既存の天板の高さ位置を側板の上端から下げることができる。このことによって、連結部材の高さ位置を変えるだけでよく、天板の高さ位置を容易に下げることができる。
【００１１】
第３の発明は、第１又は第２の発明において、畳付き天板の枠材下部には、下面の外周角部を段差状に切り欠いた切欠き段部と、この切欠き段部を除いた部分からなる嵌合部とが形成されており、畳付き天板は、切欠き段部の横面（水平面）がボックス本体の側板上端面に載置支持された状態で、嵌合部が側板間に嵌合されていることを特徴とする。
【００１２】
この第３の発明では、畳付き天板の切欠き段部の横面（水平面）がボックス本体の側板上端面に載置支持され、その状態で切欠き段部内側の嵌合部が側板間に嵌合されるので、畳付き天板をボックス本体の上端部に横方向にずれることなく正確に嵌合して固定することができる。
【００１３】
第４の発明は、第１〜第３の発明のいずれか１つにおいて、畳付き天板はボックス本体に対し着脱可能であることを特徴とする。
【００１４】
この第４の発明では、畳付き天板をボックス本体の蓋として利用することができる。例えば、畳付き天板と元の天板との間に空間を形成したり、或いは元の天板に開口部を形成したりすれば、畳付き天板を取り外すことで、元の天板との間の空間や開口部が露出するようになり、ボックス本体の上部を畳付き天板によって開閉することができる。
【００１５】
第５の発明は、第１〜第４の発明のいずれか１つにおいて、ボックス本体には引出し及び扉の少なくとも一方が取り付けられていることを特徴とする。
【００１６】
この第５の発明では、引出し及び扉の少なくとも一方を有するボックス本体の上部に畳付き天板が取り付けられた畳付き収納ボックスを得ることができる。
【００１７】
第６の発明は、第１〜第５の発明のいずれか１つにおいて、畳付き天板の枠材の一辺、隣接する二辺、対向する二辺、又は三辺には、畳の上面と面一になるように突出する突出部が設けられていることを特徴とする。
【００１８】
この第６の発明では、畳付き天板の枠材の少なくとも一辺に突出部が畳の上面と面一になるように突出して設けられているので、例えば複数の畳天板付き収納ボックスを並べて設置してシステム収納装置を構成したときに、各々の畳付き天板の枠材の突出部をシステム収納装置（畳天板付き収納ボックス全体）の外周部に位置するように配置することができる。こうすれば、その複数の畳天板付き収納ボックスの各枠材の突出部が畳縁となり、中間部に畳縁がなくて畳だけが存在するので、恰も大きな畳の周りが框材で囲まれたような形状のシステム収納装置が得られる。
【００１９】
第７の発明に係るシステム収納装置は、第６の発明の複数の畳天板付き収納ボックスが、各々の畳付き天板における枠材の突出部を外周部に配置した状態で並べられて設置されたことを特徴とする。この発明でも、第６の発明と同様の作用効果が得られる。
【００２０】
第８の発明に係るシステム収納装置は、第１〜第６の発明のいずれか１つの畳天板付き収納ボックスが組み込まれたことを特徴とする。
【００２１】
この第８の発明では、畳付き収納ボックスと他の収納ボックスとの部材が共通化され、かつ意匠感が同じでコーディネートが容易なシステム収納装置が得られる。
【発明の効果】
【００２２】
本発明の畳天板付き収納ボックスによると、ボックス本体の天板を左右の側板の上端面から下がった位置で側板に連結して天板を底面とし両側板を壁面とする凹部を形成し、ボックス本体の凹部に、外周部の枠材に畳が組み込まれた畳付き天板を枠材が側板上端面で支持された状態で嵌合するようにしたことにより、既存の収納ボックスと畳付き収納ボックスとの部材の大部分を共通のものとして部材の共通化を図ることができるとともに、畳付き収納ボックスの意匠感をシステム収納装置と同じとして、コーディネートの容易化を図ることができる。
【図面の簡単な説明】
【００２３】
【図１】図１は、本発明の実施形態に係る畳付き収納ボックスの平面図である。
【図２】図２は、図１のII−II線断面図である。
【図３】図３は、畳付き収納ボックスの側面図である。
【図４】図４は、畳付き収納ボックスの斜視図である。
【図５】図５は、畳の畳部材を取り外した状態の畳付き収納ボックスの斜視図である。
【図６】図６は、畳天板付き収納ボックスが組み込まれたシステム収納装置を例示する斜視図である。
【図７】図７は、畳天板付き収納ボックスにおける畳付き天板の枠部を裏側から見て示す斜視図である。
【図８】図８は、枠部の角部を裏側から見て示す拡大斜視図である。
【図９】図９は、畳付き天板の枠部を表側から見て示す斜視図である。
【図１０】図１０は、元の天板と側板との連結状態を示す断面図である。
【図１１】図１１は、元の天板と側板とを連結する前の状態を下側から見て示す斜視図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものでは全くない。
【００２５】
図１〜図４は本発明の実施形態に係る畳天板付き収納ボックスＡの全体構成を示し、この収納ボックスＡは、例えばシステム収納装置（図６参照）に組み込まれて用いられる。収納ボックスＡは、平面視で例えば半畳程度の大きさの正方形状のボックス本体１を備えている。このボックス本体１は、左右の側板２，２と、両側板２，２の上部間に架け渡されて配置された水平方向の天板４と、両側板２，２の下端部間に架け渡されて配置された水平方向の底板６と、両側板２，２の後端部間に架け渡されて配置された垂直方向の背板７とを有していて、前側に開口している。
【００２６】
ボックス本体１の内部には引出し９が配置され、この引出し９は左右の側板２，２にスライドレール機構（図示せず）を介して前後水平方向にスライド可能に支持されている。引出し９の前板９ａはボックス本体１の前側開口を閉塞できる大きさとされており、引出し９をボックス本体１の内部に対し前側開口から出し入れし、引出し９を後側にスライド移動させてボックス本体１内に格納したときには、その前板９ａでボックス本体１の前側開口を閉塞するようになっている。
【００２７】
上記左右の側板２，２の各々内面（相手側の側板２との対向面）には高さ位置の異なる複数段の有底状のボルト固定穴１１，１１，…（連結部材固定穴）が形成されている。各段のボルト固定穴１１は各側板２の前後方向に間隔をあけて例えば３つずつ、つまり各側板２の前部、後部及び前後方向の中間部に形成され、これらは同じ高さ位置に位置している。また、各段の３つのボルト固定穴１１，１１，…の高さ位置は、他の側板２の同じ段の３つのボルト固定穴１１，１１，…と同じとされている。
【００２８】
そして、上記天板４は、左右の側板２，２の上端部間に配置されておらず、その側板２の上端面から少し下がった所定高さの位置に配置されている。この高さ位置のボルト固定穴１１，１１，…にそれぞれ連結ボルト１２（連結部材）が嵌合されて固定されており、この連結ボルト１２を天板４側の後述する連結具本体１３に係合させることにより、天板４が側板２に該側板２の上端面よりも所定寸法だけ低い位置で連結されて固定支持されている。すなわち、連結ボルト１２が嵌合されるボルト固定穴１１，１１，…の位置を変えることにより、天板４が側板２の上端面から下げられている。そして、ボックス本体１の上端部には、天板４が側板２，２の上端面よりも低い位置に位置することで、天板４を底面とし両側板２，２を壁面とする凹部Ｒが形成されている。
【００２９】
図１０及び図１１に示すように、上記各連結ボルト１２は、通常の棚用ダボとは異なり、天板４側の連結具本体１３と組み合わされて、天板４と側板２とを固定状態で連結する連結具１４を構成している。具体的には、天板４下面（上面でもよい）の左右端部には、側板２の前後３つのボルト固定穴１１，１１，…の各々に対応する位置に連結具本体装着穴１６が、また天板４の左右端面には、各連結具本体装着穴１６に連通するボルト挿通孔１７がそれぞれ形成されている。連結具１４は、側板２のボルト固定穴１１にねじ込まれて固定されかつ頭部１２ａを有する上記連結ボルト１２と、上記各連結具本体装着穴１６に嵌合される略円筒状の連結具本体１３とを備えている。連結具本体１３の外周面の一部には連結ボルト１２の頭部１２ａを係合可能なボルト係合溝１３ａが周方向に延びるように形成されている。また、連結具本体１３の表面にはドライバ工具（図示せず）に係合するプラス溝（十字溝）等からなる工具係合部１３ｂが設けられている。そして、天板４と側板２とを連結して固定するときには、天板４の連結具本体装着穴１６に連結具本体１３を嵌入するとともに、側板２のボルト固定穴１１に連結ボルト１２をねじ込んで固定し、その連結ボルト１２の頭部１２ａを天板４端面のボルト挿通孔１７から連結具本体装着穴１６に臨むように挿入して、その装着穴１６内の連結具本体１３のボルト係合溝１３ａに係合し、その係合状態で連結具本体１３をドライバ工具により回転させて連結ボルト１２の頭部１２ａを連結具本体１３の回転中心に引き寄せることにより、その連結ボルト１２と共に側板２を天板４に引き付けて天板４と側板２とを一体的に固定するようになっている。
【００３０】
尚、天板４の中央部には矩形状の開口部４ａが形成されており、この開口部４ａを通してボックス本体１内の引出し９に収納物を出し入れできるようになっている。
【００３１】
このように天板４が、左右の側板２，２に該各側板２の上端面よりも所定寸法だけ低い位置で連結されているボックス本体１に対し、そのボックス本体１の上部の凹部Ｒ（左右側板２，２間）には、元の天板４とは異なる畳付き天板２０が着脱可能に嵌合されている。この畳付き天板２０は、外周部に例えば正方形状の枠材２１（框材）を有し、この枠材２１に畳２８が組み込まれたものである。
【００３２】
具体的には、図７及び図８に示すように、枠材２１は細長い板材を正方形枠状に組んだものであり、枠材２１の下面の外周縁部には、その外周縁部の隅角部を断面矩形状に段差状に切り欠いた下側切欠き段部２２が形成され、この下側切欠き段部２２は、畳付き天板２０がボックス本体１に取り付けられた状態で水平となる横面２２ａ（水平面）と、垂直となる縦面２２ｂ（垂直面）とを有する。また、枠材２１の下面外周縁部に切欠き段部２２が形成されることで、その切欠き段部２２を除く中央側部分により他の部分（横面２２ａ）よりも下方に突出する嵌合部２３が形成されている。
【００３３】
そして、図２に示すように、畳付き天板２０は、その枠材２１外周の下側切欠き段部２２のうち、左右部分の横面２２ａ，２２ａがそれぞれボックス本体１の左右側板２，２の上端面に載置支持された状態で、ボックス本体１の上端部内つまり上記高さ位置が下げられた天板４によって形成された、側板２，２間の凹部Ｒに嵌合され、この嵌合状態では、下側切欠き段部２２内側の縦面２２ｂ，２２ｂが側板２内面に左右水平方向に対向している。尚、畳付き天板２０の枠材２１外周の下側切欠き段部２２のうち、後部分の横面２２ａもボックス本体１の背板７の上端面に載置され、下側切欠き段部２２内側の縦面２２ｂは背板７内面に前後水平方向に対向している。
【００３４】
また、図９に示すように、枠材２１の上面の内周縁部には、その内周縁部の隅角部を断面矩形状に段差状に切り欠いた上側切欠き段部２５が形成されている。また、枠材２１の一辺である前端部の上面には、他の上面よりも上側に突出する突出部２１ａが左右方向の全体に形成されている。
【００３５】
上記畳２８は、上記枠材２１上面の上側切欠き段部２５内に嵌合されるパーチクルボード等からなる矩形板状の基材２９と、その上側に重ねられて配置される畳部材３０とを備えている。基材２９は、上記枠材２１上面の上側切欠き段部２５と同じ大きさの平面形状を有し、その厚さは上側切欠き段部２５の深さと同じであり、図５に示すように、この基材２９を上側切欠き段部２５内に嵌合したときに枠材２１内の開口が閉塞され、枠材２１の突出部２１ａを除く上面と基材２９上面とが面一になるようになっている。図４に示すように、畳部材３０は、基材２９よりも大きくて枠材２１と同じ大きさの矩形状のもので、上記面一になった枠材２１（突出部２１ａを除く）ないし基材２９の各上面に亘り、前端部が枠材２１前部の突出部２１ａに当接するように載置され、畳部材３０の上面は突出部２１ａ上面と面一になっている。この畳部材３０は、基材２９に対し、例えば面ファスナ等の止め機構（図示せず）により滑り止め状態で取外し可能に固定されている。また、この他、図示しないが、基材２９に係合用の孔を開けて畳部材３０を係止固定するようにしてもよい。図７及び図８中、２６は枠材２１外周の上側切欠き段部２５のうち、左右側部の前後略中央に位置する部分の底面に形成された凹部からなる支持部であり、これら左右の支持部２６，２６間に亘って細長い板状の支持部材（図示せず）を架け渡すことにより、その支持部材により畳２８（基材２９）の前後略中央部を下側から受けるようになっている。
【００３６】
以上により、畳付き収納ボックスＡは、引出し９を有するボックス本体１の上部に畳付き天板２０が取り付けられたものとなる。この畳付き収納ボックスＡは、例えば他の収納装置と組み合わせられてシステム収納装置を構成している。例えば図６に示す例では、２つの収納ボックスＡ，Ａが各々の左右側板２，２を隣接させるように横並べ状態で設置されて、畳ベッドが形成されている。この場合、２つの収納ボックスＡ，Ａの畳２８，２８の畳部材３０，３０が枠材２１を露出することなく連続して並ぶので、連続した１枚の畳が敷設された態様となり、意匠感が向上する。３２は畳ベッドのヘッドボードの位置に設置された他の収納装置である。
【００３７】
したがって、上記実施形態においては、畳天板付き収納ボックスＡのボックス本体１における天板４が左右の側板２，２に各側板２の上端面よりも所定寸法だけ低い位置で連結されており、この天板４が下がった部分に凹部Ｒが形成され、この凹部Ｒに畳付き天板２０が外周部の枠材２１を側板２の上面で支持した状態で嵌合されている。このことで、システム収納装置における収納ボックスをそのまま利用し、その天板４の高さ位置を下げて畳付き天板２０を嵌合することにより、畳付き収納ボックスＡを形成することができる。すなわち、畳付き収納ボックスＡは、システム収納装置の収納ボックスの既存の天板４を下げて畳付き天板２０を追加するだけで済み、収納ボックスと畳付き収納ボックスＡとの部材の大部分を共通のものとして部材の共通化を図ることができる。
【００３８】
また、このようにシステム収納装置の収納ボックスに畳付き天板２０を追加するだけで畳付き収納ボックスＡが得られるので、その畳付き収納ボックスＡの意匠感がシステム収納装置と同じとなり、両者間のコーディネートが容易となる。
【００３９】
また、上記既存の天板４は側板２に対し連結具１４の連結具本体１３と連結ボルト１２との係合によって固定されているので、側板２に形成されている高さの異なる複数段のボルト固定穴１１，１１，…において、連結ボルト１２が嵌合されて固定されるボルト固定穴１１の位置を変更することで、既存の天板４の高さ位置を側板２の上端から下げることができる。このことによって、連結ボルト１２の高さ位置を変えるだけで、天板４の高さ位置を容易に下げることができる。
【００４０】
さらに、上記畳付き天板２０の枠材２１には、下面の外周角部を段差状に切り欠いた下側切欠き段部２２が形成されており、畳付き天板２０は、その切欠き段部２２の横面２２ａ（水平面）がボックス本体１の側板２上端面に載置支持された状態で、嵌合部２３が側板２，２間の凹部Ｒに嵌合されるので、畳付き天板２０をボックス本体１の上端部に横方向にずれることなく正確に嵌合して固定することができる。
【００４１】
また、畳付き天板２０はボックス本体１に対し着脱可能とすることにより、畳付き天板２０をボックス本体１の蓋として利用することができる。すなわち、元の天板４に開口部４ａが形成されているので、畳付き天板２０を取り外すことで、元の天板４との間の空間や開口部４ａが露出するようになり、ボックス本体１の上部を畳付き天板２０によって開閉することができる。尚、畳付き天板２０と元の天板４との間に高さの低い空間を形成してもよく、同様の作用効果が得られる。
【００４２】
上記実施形態では、畳付き天板２０の枠材２１の一辺である前端部の上面に、畳２８の上面と面一になるように突出する突出部２１ａを形成しているが、枠材２１の隣接する二辺、対向する二辺又は三辺に同様の突出部２１ａを形成してもよい。こうすれば、例えば複数の畳天板付き収納ボックスＡ，Ａ，…を並べて設置してシステム収納装置を構成したときに、各々の畳付き天板２０の枠材２１の一辺のみ、隣接する二辺、対向する二辺、及び三辺にそれぞれ突出部２１ａが形成された４種類の畳天板付き収納ボックスＡを組み合わせて並べることにより、各枠材２１の突出部２１ａを、畳天板付き収納ボックスＡ，Ａ，…の全体からなるシステム収納装置の外周部（この外周部とは、システム収納装置を取り囲むだけでなく、互いに対向する部分をも含んでいる）に位置するように配置することができる。このことで、その複数の畳天板付き収納ボックスＡ，Ａ，…における畳付き天板２０，２０，…の各枠材２１の突出部２１ａがシステム収納装置全体の畳縁となり、中間部に畳縁がなくて畳２８，２８，…だけが存在するので、恰も大きな畳の周りが框材により囲まれたような形状のシステム収納装置が得られる。
【００４３】
また、上記実施形態では、ボックス本体１に引出し９を取り付けているが、扉を取り付けてもよく、引出し９及び扉の両方を取り付けてもよい。或いは引出し９や扉が取り付けられていないオープンタイプの畳天板付き収納ボックスＡとしてもよい。
【００４４】
また、上記実施形態では、畳付き天板２０をボックス本体１に対し着脱可能としているが、着脱不能に固定することもできる。
【００４５】
さらに、上記実施形態では、畳２８の畳部材３０を基材２９よりも大きくして枠材２１を覆うように配置しているが、基材２９の厚さを薄くして、その上面に基材２９と同じ大きさの畳部材３０を一体的に固定するようにしてもよい。こうすれば、枠材２１が畳２８の周りに露呈し、その枠材２１によって畳２８が囲まれた態様の畳天板付き収納ボックスＡが得られる。また、上記実施形態では、畳２８を基材２９と畳部材３０とに分けているが、一体のものとしてもよい。
【産業上の利用可能性】
【００４６】
本発明は、既存の収納ボックスと畳付き収納ボックスとの部材の共通化を図ることができ、畳付き収納ボックスのコーディネートの容易化を図ることができるので、極めて有用であり、産業上の利用可能性が高い。
【符号の説明】
【００４７】
Ａ  畳天板付き収納ボックス
Ｒ  凹部
１  ボックス本体
２  側板
４  天板
９  引出し
１１  ボルト固定穴（連結部材固定穴）
１２  連結ボルト（連結部材）
１２ａ  頭部
１３  連結具本体
１４  連結具
２０  畳付き天板
２１  枠材
２１ａ  突出部
２２  下側切欠き段部（切欠き段部）
２２ａ  横面
２２ｂ  縦面
２３  嵌合部
２８  畳
２９  基材
３０  畳部材
【図１】
2016202614.tif 000003
【図２】
2016202614.tif 000004
【図３】
2016202614.tif 000005
【図４】
2016202614.tif 000006
【図５】
2016202614.tif 000007
【図６】
2016202614.tif 000008
【図７】
2016202614.tif 000009
【図８】
2016202614.tif 000010
【図９】
2016202614.tif 000011
【図１０】
2016202614.tif 000012
【図１１】
2016202614.tif 000013